(57)【特許請求の範囲】
【請求項１】
単一のベクトル信号発生器（ＶＳＧ）から、被試験デバイス（ＤＵＴ）へ、データパケットを、第１符号語（ＣＷ0）及び第２符号語（ＣＷ1）として送信することによって、通信デバイスを試験する方法であって、
前記第１符号語（ＣＷ0）及び前記第２符号語（ＣＷ1）をプリコーディングすることによって、前記第１符号語（ＣＷ0）及び前記第２符号語（ＣＷ1）を操作する工程と、
第１出力信号（ＴＸ0）及び第２出力信号（ＴＸ1）を、それぞれ、前記操作された第１符号語（ＣＷ0）及び第２符号語（ＣＷ1）から発生させる工程であって、前記第１出力信号（ＴＸ0）が、前記第２出力信号（ＴＸ1）とは異なる、工程と、
前記ＶＳＧからの第１入力信号（ＲＸ0）を前記ＤＵＴで受信する工程であって、前記ＤＵＴの前記受信した第１入力信号（ＲＸ0）が、前記ＶＳＧの前記第１出力信号及び第２出力信号の総和（ＴＸ0+ＴＸ1）である、工程と、
前記ＶＳＧからの第２入力信号（ＲＸ1）を前記ＤＵＴで受信する工程であって、前記ＤＵＴの前記受信した第２入力信号（ＲＸ1）が、前記ＶＳＧの前記第１出力信号及び第２出力信号の総和（ＴＸ0+ＴＸ1）である、工程と、
前記受信した第１入力信号（ＲＸ0）及び前記受信した第２入力信号（ＲＸ1）をプリコーディングすることによって、前記ＤＵＴの前記受信した第１入力信号（ＲＸ0）及び前記ＤＵＴの前記受信した第２入力信号（ＲＸ1）を操作する工程と、
前記ＤＵＴの前記操作された第１入力信号（ＲＸ0）及び前記ＤＵＴの前記操作された第２入力信号（ＲＸ1）から、ブロック誤り率の結果を発生させる工程と、
を含む、方法。
【請求項２】
前記第１符号語及び前記第２符号語を操作する工程が、異なるエミュレート信号を作成するために、前記第１符号語及び前記第２符号語をスクランブリングする工程を更に含む、請求項１に記載の方法。
【請求項３】
前記第１符号語及び前記第２符号語の前記プリコーディングが、
チャネル
【数１】
0006263326.tif 000008
の擬似逆行列に基づく、
【数２】
0006263326.tif 000009
として定義されるプリコーディング演算子を利用する、バイパス／パススルー復号を含む、請求項１に記載の方法。
【請求項４】
前記第１符号語及び前記第２符号語を操作する工程が、前記第１符号語及び前記第２符号語の、巡回冗長検査、チャネル符号化、変調マッピング、レイヤマッピング、再マッピング、及び直交周波数分割多重化変調のうちの、１つ以上を更に含む、請求項１に記載の方法。
【請求項５】
前記ＤＵＴの前記受信した第１入力信号及び前記ＤＵＴの前記受信した第２入力信号の前記プリコーディングが、
【数３】
0006263326.tif 000010
として定義されるプリコーディング演算子を利用する、バイパス／パススルー復号を含む、請求項１に記載の方法。
【請求項６】
前記ＤＵＴの前記受信した第１入力信号及び前記ＤＵＴの前記受信した第２入力信号を操作する工程が、前記ＤＵＴの前記受信した第１入力信号及び前記ＤＵＴの前記受信した第２入力信号の、直交周波数分割多重化復調、再デマッピング、レイヤデマッピング、変調デマッピング、チャネル復号、及び巡回冗長検査のうちの、１つ以上を更に含む、請求項１に記載の方法。
【請求項７】
前記ＤＵＴの前記受信した第１入力信号及び前記ＤＵＴの前記受信した第２入力信号を操作する工程が、前記ＤＵＴの前記受信した第１入力信号及び前記ＤＵＴの前記受信した第２入力信号をデスクランブリングする工程を更に含む、請求項１に記載の方法。
【請求項８】
単一のベクトル信号発生器（ＶＳＧ）から、被試験デバイス（ＤＵＴ）へ、データパケットを、第１符号語（ＣＷ0）及び第２符号語（ＣＷ1）として送信することによって、通信デバイスを試験するためのシステムであって、
前記第１符号語（ＣＷ0）及び前記第２符号語（ＣＷ1）をプリコーディングすることによって、前記第１符号語（ＣＷ0）及び前記第２符号語（ＣＷ1）を操作する手段と、
第１出力信号（ＴＸ0）及び第２出力信号（ＴＸ1）を、それぞれ、前記操作された第１符号語（ＣＷ0）及び第２符号語（ＣＷ1）から発生させる手段であって、前記第１出力信号（ＴＸ0）が、前記第２出力信号（ＴＸ1）とは異なる、手段と、
前記ＶＳＧからの第１入力信号（ＲＸ0）を前記ＤＵＴで受信する手段であって、前記ＤＵＴの前記受信した第１入力信号（ＲＸ0）が、前記ＶＳＧの前記第１出力信号及び第２出力信号の総和（ＴＸ0+ＴＸ1）である、手段と、
前記ＶＳＧからの第２入力信号（ＲＸ1）を前記ＤＵＴで受信する手段であって、前記ＤＵＴの前記受信した第２入力信号（ＲＸ1）が、前記ＶＳＧの前記第１出力信号及び第２出力信号の総和（ＴＸ0+ＴＸ1）である、手段と、
前記受信した第１入力信号（ＲＸ0）及び前記受信した第２入力信号（ＲＸ1）をプリコーディングすることによって、前記ＤＵＴの前記受信した第１入力信号（ＲＸ0）及び前記ＤＵＴの前記受信した第２入力信号（ＲＸ1）を操作する手段と、
前記ＤＵＴの前記操作された第１入力信号（ＲＸ0）及び前記ＤＵＴの前記操作された第２入力信号（ＲＸ1）から、ブロック誤り率の結果を発生させる手段と、
を含む、システム。
【請求項９】
異なるエミュレート信号を作成するために、前記第１符号語及び前記第２符号語をスクランブリングする手段を更に含む、請求項８に記載のシステム。
【請求項１０】
前記第１符号語及び前記第２符号語を操作するための前記手段は、
チャネル
【数４】
0006263326.tif 000011
の擬似逆行列に基づく、
【数５】
0006263326.tif 000012
として定義されるプリコーディング演算子を利用する、バイパス／パススルー復号のための手段を含む、請求項８に記載のシステム。
【請求項１１】
前記第１符号語及び前記第２符号語を操作する前記手段が、前記第１符号語及び前記第２符号語の、巡回冗長検査、チャネル符号化、変調マッピング、レイヤマッピング、再マッピング、及び直交周波数分割多重化変調のうちの、１つ以上を実行する手段を更に含む、請求項８に記載のシステム。
【請求項１２】
前記ＤＵＴの前記受信した第１入力信号及び前記ＤＵＴの前記受信した第２入力信号を操作する前記手段が、
【数６】
0006263326.tif 000013
として定義されるプリコーディング演算子を利用する、バイパス／パススルー復号のための手段を含む、請求項８に記載のシステム。
【請求項１３】
前記ＤＵＴの前記受信した第１入力信号及び前記ＤＵＴの前記受信した第２入力信号を操作する前記手段が、前記ＤＵＴの前記受信した第１入力信号及び前記ＤＵＴの前記受信した第２入力信号の、直交周波数分割多重化復調、再デマッピング、レイヤデマッピング、変調デマッピング、チャネル復号、及び巡回冗長検査のうちの、１つ以上を実行する手段を更に含む、請求項８に記載のシステム。
【請求項１４】
前記ＤＵＴの前記受信した第１入力信号及び前記ＤＵＴの前記受信した第２入力信号を操作する前記手段が、前記ＤＵＴの前記受信した第１入力信号及び前記ＤＵＴの前記受信した第２入力信号をデスクランブリングする手段を含む、請求項８に記載のシステム。
【発明の詳細な説明】
【技術分野】
【０００１】
本発明は、全般的には、電子デバイスを試験するためのシステム及び方法に関する。より詳細には、本発明は、ハードウェア構成要素、ファームウェア構成要素、及び／又はソフトウェア構成要素からなる試験プラットフォームを使用して、無線デバイスを試験し、ブロック誤り率を判定するための、システム及び方法の改善に関する。
【背景技術】
【０００２】
今日の携帯用デバイスの多くは、電話、デジタルデータ転送、地理的位置決めなどのために、無線「接続」を利用する。周波数スペクトル、変調方法、及びスペクトルパワー密度の差異に関わらず、無線接続性の規格は、同期化したデータパケットを使用してデータを送受信する。
【０００３】
一般的には、これらの無線接続性能力の全て（例えば、ＷｉＦｉ、ＷｉＭＡＸ、Ｂｌｕｅｔｏｏｔｈなど）は、それらの接続性能力を有するデバイスが順守しなければならないパラメーター及び制限を指定する、業界承認の規格（例えば、ＩＥＥＥ  ８０２．１１、ＩＥＥＥ  ８０２．１６）、並びに携帯電話業界コンソーシアムに基づく規格（例えば、３ＧＰＰ  ＬＴＥ）によって規定される。
【０００４】
一連のデバイス開発に沿った、任意の時点で、デバイスがその規格の仕様の範囲内で動作することを、試験及び検証することが必要とされる場合がある。そのようなデバイスの殆どは、送受信機であり、すなわち、無線ＲＦ信号を送受信するものである。そのようなデバイスを試験するために設計される専用のシステムは、典型的には、デバイスの送信信号を受信及び分析するように設計され、かつ、業界承認の規格に従った信号を送ることにより、デバイスがその規格に従って無線信号を受信及び処理しているか否かを判定するように設計される、サブシステムを含む。
【０００５】
無線通信技術の開発では、スマートアンテナ技術の諸形態の１つの進歩としては、複数入力及び複数出力、すなわちＭＩＭＯが挙げられる。ＭＩＭＯは、送信機及び受信機の双方で複数のアンテナを利用して、（一方又は双方の）通信性能を改善するものであり、すなわち、無線リンクのスループットを増大させるために、複数のアンテナ（及び、それに応じて複数のＲＦ連鎖）が、送信機及び受信機の双方に設置される。二地点間（ポイントツーポイント）（ＰＴＰ）リンクでの送信機及び受信機の双方に、同様の数のアンテナを備えるＭＩＭＯシステムは、好条件下では、アンテナを追加するごとに、システムスループットを線形に増大させることが可能である。例えば、２×２  ＭＩＭＯは、スループットを２倍にすることができる。
【０００６】
ＭＩＭＯは、空間多重化（ＳＭ）を使用して、信号（符号化及び変調されたデータストリーム）が、異なる独立した空間領域をわたって送信されることを可能にすることができる。一方で、モバイルＷｉＭＡＸは、複数のＭＩＭＯモードに対応し、ＳＭ又はＳＴＣ（時空間符号化）のいずれか、若しくは双方を使用して、カバレッジエリアを縮小することなく、スペクトル効率を最大化する（スループットを増大させる）。チャネル（伝搬路）条件に基づく、これらのモード間での動的な切り替え（スイッチング）は、適応ＭＩＭＯスイッチング（ＡＭＳ）と呼ばれる。ＡＡＳ（適応アンテナシステム）と組み合わせた場合には、ＭＩＭＯは、ＷｉＭＡＸの性能を更に引き上げることができる。
【０００７】
帯域幅を必要とするブロードバンドユーザーの出現と共に、データ転送速度を複数倍に増大させるという、高まる一方の必要性に対処するために、多くの無線技術（例えば、ＰＡＮ、ＬＡＮ、ＭＡＮ、及びＷＡＮ）にＭＩＭＯを実装することが望まれるようになっている。ＭＩＭＯ技術は、追加的な帯域幅又は送信パワーを使用することなく、データスループット及びリンク範囲の著しい増大を提供するがゆえに、無線通信で関心を集めている。ＭＩＭＯ技術は、より高いスペクトル効率（帯域幅の１ヘルツ当りの、より大きいビット毎秒（ｂｐｓ））、及びリンク信頼性、すなわちダイバーシティ（フェージングの低減）によって、この増大を達成する。これらの特性ゆえに、ＭＩＭＯは、ＩＥＥＥ  ８０２．１１ｎ（Ｗｉｆｉ）、４Ｇ、３ＧＰＰ  Ｌｏｎｇ  Ｔｅｒｍ  Ｅｖｏｌｕｔｉｏｎ（ＬＴＥ）、ＷｉＭＡＸ、及びＨＳＰＡ＋などの、現代の無線通信規格の、重要な部分である。
【０００８】
ＭＩＭＯシステムを採用するように設計されたデバイスは、ある時点で、試験及び検証することが必要である。例えば、図１は、同期化した（１０３）ベクトル信号発生器（ＶＳＧ）１０２、１０４を使用して、２×２  ＭＩＭＯの無線ＭＩＭＯデバイスを完全に試験するための規格を採用する、従来のシステム１００を示す。２つの受信機（ＲＸ）／２つの送信機（ＴＸ）のＭＩＭＯ（例えば、２×２  ＭＩＭＯ）用に設計されたデバイス１０６の場合には、２つのＭＩＭＯ  ＴＸ信号を同時に試験するための、２つのベクトル信号解析器（ＶＳＡ）を有する試験システムを使用して、その物理層（ＰＨＹ）の特性を完全に試験することが可能である。更には、デバイスの２つの受信機を試験するために、２つの独立したＴＸ  ＭＩＭＯ信号をシミュレートするための、２つのＶＳＧを使用して、試験することも可能である。
【０００９】
この方式で、被試験デバイス（ＤＵＴ）１０６の、ＲＸ１／デジタル信号プロセッサ（ＤＳＰ）の連鎖（チェイン）及びＲＸ２／ＤＳＰの連鎖を試験して、ＤＵＴ  １０６が適切に動作しているか否かを判定することが可能である。２つのＶＳＧを使用して、２×２  ＤＵＴの２つの受信の連鎖の正常動作を検証しているため、この従来の方法はまた、ＲＸ連鎖及びＭＩＭＯチャネル（伝搬路）推定の双方の検証も可能にし得る。しかしながら、試験システムのコストは、この例で採用されるＶＳＡ及びＶＳＧなどの、実装機器のコストによって概ね占められる。それゆえ、実際問題として、無線接続性試験システム内部で採用される試験機器が多くなるにつれて、前述のシステムは、より高価になる傾向がある。更には、信頼性の確認及び／又はメンテナンスの応用のための、個々の試験機器に関連する支出もまた存在し得る。したがって、実装機器の、信頼性のある試験方法を依然として維持しながらも、試験システム内で利用されるデバイスに関する支出を低減することが望まれる。
【００１０】
試験機器の構成要素を限定し、それによって関連するコスト要因を限定することに対処する試みが行なわれている。例えば、図２の従来の実施形態は、単に、単一のＶＳＧ２０２を採用して、その出力を２つの同一信号へと分割する（２０４）という、試験システム２００を採用する。しかしながら、この手順では、２つのＤＵＴ受信機２０６、２０８の能力は、適切に試験されない。この方式で、単一のＶＳＧ２０２を使用し、出力を分割することによって、ＲＸ連鎖及びチャネル推定の検証を提供する試みでは、双方のＲＸ連鎖を検証することができない。これは、とりわけ、採用された手順では、それぞれの単独の雑音指数ではなく、結果的に生じる２つの雑音指数の平均が、単に測定されるためである。結果として、この即席の方法では、ＭＩＭＯシステムでの空間多重化（ＳＭ）の適切な処理に不可欠である、チャネル推定が検証されない。簡潔に述べれば、この方法では、ＲＸ１／ＤＳＰ及びＲＸ２／ＤＳＰの双方の連鎖を完全に試験することによる、試験信号の完全な計算を、提供することができない。それゆえ、単一のＤＳＰの連鎖（２つではなく）が検証されるのみであり、またＭＩＭＯチャネル推定を検証することもできない。
【発明の概要】
【発明が解決しようとする課題】
【００１１】
したがって、先端的な無線接続性能力の要件を満たすか又は上回る、改善された低コストの試験システムに対する必要性が存在する。この必要性は、製造される２×２、３×２、及び４×２のＭＩＭＯ無線デバイスを試験するための、改善された機能を提供する。追加的な試験機器への依存を低減することにより、運用コストを低減し、無線機器内の欠陥を識別するための試験を実行して、ブロック誤り率の情報を判定する、更なる必要性が存在する。
【課題を解決するための手段】
【００１２】
したがって、本発明の目的は、先行技術の不備を克服する、好ましくは単一のＶＳＧを含む試験システムを使用する、システム及び方法を含むことであり、この試験システムは、製造される２×２、３×２、及び４×２のＭＩＭＯ無線デバイスを試験して、ＤＵＴ受信機が、構成されたＭＩＭＯ  ＴＸ信号を適切に受信し、送信されたＴＸ信号によって伝搬されるビット／シンボルを正確に復号することを、損なうか又は無効にする恐れのある、潜在的な製造欠陥を識別することを可能にする。
【００１３】
開示される例示的な一実施形態によれば、通信デバイスを試験する方法が提供され、この方法は、一部の実施形態では、ベクトル信号発生器（ＶＳＧ）から、被試験デバイス（ＤＵＴ）へ、データパケットを、第１符号語及び第２符号語として送信することを含む。この方法は、第１符号語及び第２符号語をプリコーディングすることによって、第１符号語及び第２符号語を操作する工程と、第１出力信号及び第２出力信号を、それぞれ、操作された第１符号語及び第２符号語から発生させることとを含んでよく、この第１出力信号は、第２出力信号とは異なる。追加の実施形態は、ＶＳＧからの第１信号をＤＵＴで受信することを含んでよく、このＤＵＴの第１受信信号は、ＶＳＧの第１出力信号及び第２出力信号の総和である。更には、ＶＳＧからの第２信号は、このＤＵＴで受信することができ、このＤＵＴの第２受信信号は、ＶＳＧの第１出力信号及び第２出力信号の総和である。この方法は、第１受信信号及び第２受信信号をプリコーディングすることによって、ＤＵＴの第１受信信号及びＤＵＴの第２受信信号を操作する工程を、更に含み得る。ＤＵＴの操作された第１受信信号及びＤＵＴの操作された第２受信信号から、ブロック誤り率の結果を発生させることができる。
【００１４】
開示される他の例示的な実施形態によれば、通信デバイスを試験するシステムが提供され、このシステムは、一部の実施形態では、ベクトル信号発生器（ＶＳＧ）から、被試験デバイス（ＤＵＴ）へ、データパケットを、第１符号語及び第２符号語として送信する手段を含む。このシステムはまた、第１符号語及び第２符号語を操作する手段であって、それぞれ１出力信号及び第２出力信号を作り出すための手段を含んでよく、この第１出力信号は、第２出力信号とは異なる。更には、ＶＳＧからの第１信号をＤＵＴで受信する手段を含んでよく、このＤＵＴの第１受信信号は、ＶＳＧの第１出力信号及び第２出力信号の総和である。このシステムは、ＶＳＧからの第２信号をＤＵＴで受信する手段を含み、このＤＵＴの第２受信信号は、ＶＳＧの第１出力信号及び第２出力信号の総和である。更には、ＤＵＴの第１受信信号及びＤＵＴの第２受信信号を操作する手段であって、ＤＵＴの第１受信信号及びＤＵＴの第２受信信号に関するブロック誤り率の結果を発生させるための手段もまた含まれ得る。
【００１５】
開示される更に他の例示的な実施形態によれば、通信デバイスを試験するシステムが提供され、このシステムは、一部の実施形態では、ＤＵＴに結合されるＶＳＧを含む。このＶＳＧは、データパケットを、第１符号語及び第２符号語として送信するように構成され、このＶＳＧは、第１符号語及び第２符号語を、エミュレートされた第１波形及び第２波形として操作するための、ソフトウェア及びハードウェアのアーキテクチャーを含み、この第１波形は、第２波形とは異なる。ＤＵＴは、エミュレートされた第１波形及び第２波形を、ＶＳＧからの規定の信号として受信するように構成される。この規定の信号は、第１受信信号及び第２受信信号を含み、ＤＵＴは、第１受信信号及び第２受信信号を操作して、それらの信号からブロック誤り率の結果を発生させるための、ソフトウェア及びハードウェアのアーキテクチャーを含む。
【００１６】
ここにある本発明の詳細な説明が、より良好に理解され得るように、また当該技術への本発明の貢献が、より良好に認識され得るように、本発明の特定の実施形態が、このように、やや広範に概説されてきた。当然ながら、本発明の追加の実施形態が存在し、それらは以下に説明され、それらは本明細書に付される特許請求の範囲の対象である。
【００１７】
この点で、本発明の少なくとも１つの実施形態を詳細に説明する前に、本発明は、以下の説明に記載されるか又は図面に示される、構成の詳細並びに構成要素の配列に、その応用が限定されないことを理解されたい。本発明は、説明される実施形態以外の実施形態が可能であり、様々な方法で実践及び実施することが可能である。また、本明細書並びに要約書で使用される、表現及び用語は、説明を目的とするものであって、限定として見なすべきではないことも理解されたい。
【００１８】
したがって、当業者であれば、本開示が基づくところの着想が、本発明の諸目的を実施するための他の構造、方法、及びシステムを設計するための基盤として容易に利用可能であることを、理解するであろう。したがって、本発明の思想及び範囲から逸脱しない限りにおいて、特許請求の範囲は、それらの均等な構成を含むものとして見なされることが重要である。
【００１９】
本発明の更なる他の態様、特徴、及び利点は、本発明を実施するために考えられる最良の形態を含めた、数々の例示的な実施形態及び実装を単に説明することによって、以下の詳細な説明から容易に明らかとなる。本発明はまた、全て本発明の思想及び範囲から逸脱することなく、他の実施形態、及び異なる実施形態も可能であり、本発明の幾つかの詳細は、様々な点で修正することができる。したがって、図面及び説明は、制限としてではなく、本質的に例示として見なされるべきである。
【００２０】
本発明は、以下に記載される「発明を実施するための形態」、及び本発明の様々な実施形態の添付された図面から、より完全に理解されるが、しかしながら、これらは、本発明を特定の実施形態に限定するように解釈されるべきではなく、単に説明及び理解のためのものである。
【図面の簡単な説明】
【００２１】
【図１】図１は、同期化したベクトル信号発生器を使用して、２×２  ＭＩＭＯの無線ＭＩＭＯデバイスを試験するための、従来のシステムである。
【図２】図２は、単一のＶＳＧの出力を、２つの同一信号へと分割するための試験システムを示す。
【図３】図３は、開示される例示的な実施形態による、ＤＵＴにコマンドを出すためのＶＳＧ信号を発生させるために利用される構成表を示す。
【図４】図４は、開示される例示的な実施形態による、符号語ＣＷ０及び符号語ＣＷ１からＶＳＧ生成波形へのフローを示す。
【図５】図５は、開示される例示的な実施形態による、入力ＶＳＧ信号を処理するように符号化された、プリコーディング及びデスクランブリングの連鎖を有する、２×２  ＭＩＭＯ  ＤＵＴを示す。
【図６】図６は、開示される例示的な実施形態による、ＤＵＴのＲＸ及び復号の連鎖を完全に試験するように構成された、単一のＶＳＧ及び２×２  ＭＩＭＯ  ＤＵＴを利用する、完全な試験の設計を示す。
【発明を実施するための形態】
【００２２】
本発明を、ここで図面を参照して説明するが、全体を通じて、同様の参照数字は、同様の部分を指す。以下の「発明を実施するための形態」は、本発明の、添付図面を参照とする、例示的実施形態のものである。そのような説明は、例示的なものであって、本発明の範囲に関して限定するものではないことを意図する。そのような実施形態は、本発明を当業者が実践することを可能にするために、十分に詳細に説明され、また他の実施形態を、本発明の思想及び範囲から逸脱することなく、一部の変形と共に実践し得ることが理解されよう。
【００２３】
本開示の全体を通して、文脈から反対であるという明示がない限り、説明される個々の回路素子は、数において単数又は複数であり得ることが理解されよう。例えば、「回路」及び「回路構成」という用語は、説明される関数を提供するための、単一の構成要素、あるいは、能動（アクティブ）的及び／又は受動（パッシブ）のいずれかであって、一体的に接続されるか又は他の方法で結合される（例えば、１つ以上の集積回路（ＩＣ）チップとして）複数個の構成要素のいずれかを含み得る。更には、「信号」という用語は、１つ以上の電流、１つ以上の電圧、又はデータ信号を指す場合がある。図面内では、同様の、又は関連する要素は、同様の、又は関連する、英字、数字、若しくは英数字の表記を有する。更には、本発明は、個別の電子回路構成（好ましくは、１つ以上のＩＣチップの形態）を使用する実装に関連して論じられているが、そのような回路構成の任意の部分の関数も、処理される信号周波数又はデータ転送速度に応じて、適切にプログラムされた１つ以上のプロセッサを使用して、代替的に実装することができる。
【００２４】
ここに説明される本発明は、無線システム内の欠陥構成要素を検証するために、より少ない試験構成要素を必要とする試験システムを使用するための、システム及び方法を提供する。具体的には、開示されるシステム及び方法の実施形態は、製造される２×２  ＭＩＭＯ無線デバイスを試験して、適切に構成されたＭＩＭＯ  ＴＸ信号をＤＵＴの受信機が受信することを損なうか又は無効にする任意の製造欠陥を識別するように構成され、かつ、そのように使用可能な単一のＶＳＧを含む試験システムを使用する。開示される試験システム及び方法は、更に、前述のＴＸ信号によって搬送されるビット／シンボルを正確に復号することが可能である。この場合、説明される２×２  ＭＩＭＯデバイスの使用は、本明細書の全体を通して、３ＧＰＰ  ＬＴＥ規格に基づくことが意図されているが、しかしながら、２×２  ＭＩＭＯデバイスは、例示であることが意図されている。以下の説明で述べられる、２×２  ＭＩＭＯ  ＤＵＴは、３ＧＰＰのＬＴＥ規格に準拠するものであるが、当業者には既知の、同様のプリコーディング及び符号語の技術を使用して、任意の２×２  ＭＩＭＯ  ＤＵＴ  ＲＸ連鎖及びチャネル推定の検証試験手順に、本発明の採用システム及び方法を適用可能であることが、容易に理解される。
【００２５】
したがって、開示されるシステム及び方法は、選択された本発明の基準に従って、単一のＶＳＧから適切な波形を発生させるように、試験装置にコマンドを出す。そのように発生した単一のＶＳＧ信号は、双方のＤＳＰ連鎖を検証するために使用され、ＭＩＭＯ  ＲＸに影響を及ぼす製造欠陥を識別することができるブロック誤り率試験を提供する。開示される本発明の試験能力は、２つのＶＳＧなどの追加的な機器を利用する、従来の試験システム及び方法に少なくとも匹敵する。しかしながら、第２のＶＳＧに対する必要性を除去することによって、開示されるシステム及び方法は、システム内部の潜在的な欠陥を識別するために必要とされる試験装置の費用を引き下げることによる、コスト節減の利点を提供する。
【００２６】
単一のＶＳＧ波形を発生させるために、開示される発明は、例えばＤＵＴが２つの復号連鎖を実行するようコマンドを出すためのアルゴリズムを採用することができる。一実施形態では、３ＧＰＰ  ＬＴＥ  ＭＩＭＯを利用するものなどの構成表が、開示されるシステムによって採用され、必要とされるＶＳＧ信号を発生させることができる。図３は、ＤＵＴが２つの復号連鎖を実行するようコマンドを出すための、必要とされるＶＳＧ信号を発生させるために、使用することができる値を含む、３ＧＰＰ  ＬＴＥ  ＭＩＭＯで使用される例示的な構成表３００を示す。図３のダウンリンク制御情報（ＤＣＩ）フォーマット２の表は、それぞれの記述項目３０４に対応する規定値３０２を提供し、この実施例では、それぞれの記述項目３０４は、特定の項目番号３０６として記載することができる。規定値３０２は、試験装置又はデバイスに入力され、その試験装置又はデバイスがどのように動作するかを確立することができる。好ましい実施形態では、ＤＣＩフォーマット２の表は、その値情報を、単一のＶＳＧに供給し、次に、この単一のＶＳＧは、２×２  ＭＩＭＯ  ＤＵＴを完全に試験するためのＶＳＧ波形を作り出す。
【００２７】
図４を参照すると、図３からの表の値３０２を利用する、単一のＶＳＧ４００は、送信パケット内に埋め込まれるデータを含む規定の数の符号語を採用する。符号語は、幾つかの、ソフトウェアに基づく処理工程４０２及びハードウェアに基づく処理工程４０４を経て進行し、例えば３ＧＰＰ  ＬＴＥ  ２×２空間多重化アーキテクチャーとの互換性があるような、信号を作り出す。（代替的実施形態として、初期の処理工程４０２もまた、ハードウェアに基づくものとすることができる。）この実施例では、２つの符号語（ＣＷ０及びＣＷ１）を利用し、前述の処理工程４０２、４０４を施して、波形ＴＸ０及び波形ＴＸ１を発生させる。符号語を、例えばソフトウェア又はハードウェアを介して操作し、それぞれの符号語ＣＷ０及び符号語ＣＷ１の、例えば、巡回冗長検査４０１、チャネル符号化４０６、及びスクランブリング４０８を含めた、幾つかの演算を実行することができる。好ましい実施形態では、スクランブリングは、ＣＷ０関してｑ＝０、及びＣＷ１に関してｑ＝１などの、異なる値を提供することによって、エミュレート信号の作成を容易にする。符号語ＣＷ０及び符号語ＣＷ１には、開示される実施形態に従って、例えば、変調マッピング４１０、レイヤマッピング４１２、再マッピング４１４、及び直交周波数分割多重化（ＯＦＤＭ）変調を含めた、１つ以上の追加的演算を施すことができる。
【００２８】
好ましい実施形態では、２つの出力信号ＴＸ０及び出力信号ＴＸ１の発生は、符号語ＣＷ０及び符号語ＣＷ１のプリコーディング４１８を必要とする。このプリコーディングプロセスの間、バイパス／パススルー復号が実行される。プリコーディング演算子は、次のように定義することができる。
【００２９】
チャネル
【００３０】
【数１】
0006263326.tif 000002
【００３１】
【数２】
0006263326.tif 000003
【００３２】
この操作の後、ＶＳＧ送信機４２０の出力は、２つの信号をＴＸ０及びＴＸ１として発生させる。ＶＳＧの出力の段階では、チャネルは次の通りである。
【００３３】
【数３】
0006263326.tif 000004
【００３４】
それゆえ、ＶＳＧの出力は、２つの受信機への入力信号ＲＸ０、ＲＸ１となる、同一の出力信号ＴＸ０＋ＴＸ１を作り出す。
【００３５】
図５を参照すると、ＤＵＴ５００の２つの受信機５０２に送信される信号の、ＲＸ０、ＲＸ１は、それぞれ、ＴＸ０＋ＴＸ１、及びＴＸ０＋ＴＸ１として表すことができる。ＶＳＧ信号ＲＸ０及びＶＳＧ信号ＲＸ１は、受信機５０２から、処理連鎖を上って続行し、直交周波数分割多重化（ＯＦＤＭ）復調演算５０４を経るなどの、１つ以上の追加的な処理を施される。同様に、例えば、再デマッピング５０６、及びプリコーディング５０８を含めた、追加的な演算が、信号ＲＸ０及び信号ＲＸ１を操作するために実行される。この場合、プリコーディング演算の間の、プリコーディング演算子は、次のように定義することができる。
【００３６】
【数４】
0006263326.tif 000005
【００３７】
図５に示すように、プリコーディング５０８に続いて、レイヤデマッピング５１０、変調デマッピング５１２、及びデスクランブリング５１４、５１５の演算を採用して、信号ＲＸ０及び信号ＲＸ１を更に操作することができる。好ましい実施形態では、双方の連鎖でのデスクランブリング５１４、５１５は、以下で更に述べるように、ＲＸ０及びＲＸ１の信号の双方に関して、ｑ＝０を設定する。デスクランブリングの後、信号ＲＸ０及び信号ＲＸ１に、チャネル復号５１６、５１７、及び巡回冗長検査５１８を施し、双方のＲＸ連鎖のＲＸ０及びＲＸ１に関して、それぞれ、ブロック誤り率（ＢＬＥＲ）の結果５２０、５２２を発生させることができる。
【００３８】
図６を参照すると、単一のＶＳＧ４００と、ＶＳＧ出力信号ＴＸ０、ＴＸ１と、双方の信号（ＴＸ０及びＴＸ１のそれぞれ）に関する、ＲＸ０（ＴＸ０＋ＴＸ１）及びＲＸ１（ＴＸ０＋ＴＸ１）へのチャネル変換と、双方のＲＸ連鎖に関して得られるＢＬＥＲ結果５２０、５２２とを含む、試験構成の全体が示される。終端間（エンドツーエンド）の全体にわたる結果（ＶＳＧ４００でのプリコーディング４１８の入力から、ＤＵＴ５００でのプリコーディング５０８の出力まで）は、次の式によって説明される。
【００３９】
【数５】
0006263326.tif 000006
式中
【００４０】
【数６】
0006263326.tif 000007
は、ＣＷ１にマッピングされない、ＶＳＧ４００から送られる、ｑ＝０でスクランブルされたＣＷ０のストリームである。ＣＷ１は、ＤＵＴ５００側上に流すことが許可される。ＣＷ０の復号５１７及びＢＬＥＲの報告５２０は、ＤＵＴ５００側上で直接的に進む。しかしながら、ＣＷ１に関しては、ＤＵＴ５００は、復号５１６及びＢＬＥＲについての報告５２２を試みる前に、好ましくは、そのストリームに、ｑ＝０で（ｑ＝１ではなく）デスクランブル５１４を行なうように構成される。
【００４１】
単一のＶＳＧ出力が分割されて各ＲＸに送り込まれる場合（例えば、図２を参照）とは異なり、開示される発明は、完全なＲＸの連鎖の特性、単独の雑音指数、及びチャネル推定を考慮に入れる、ＢＬＥＲ結果を提供する。更には、本発明によって提供されるブロック誤り率試験は、少なくとも、追加的な機器（２つのＶＳＧなど）を利用する従来の試験システム及び方法の正確度で、ＭＩＭＯ  ＲＸに影響を及ぼす製造欠陥を識別することができる。また一方、第２のＶＳＧに対する必要性を除去することによって、開示される実施形態は、より経済的な試験システム及び運用方法を提供する。
【００４２】
本開示の範囲から逸脱することなく、様々な修正及び変形を、開示される装置及び方法に実施し得ることが、当業者には明らかであろう。更には、本明細書を考察することにより、本発明に係る装置及び方法の他の実施形態が、当業者には明らかであろう。本明細書及び実施例は、例示としてのみ考慮され、本開示の真の範囲は、以下の特許請求の範囲及びそれらの均等物によって示されることが意図される。
【００４３】
本技術において説明されるようなシステム、又はその任意の構成要素が、コンピュータシステムの形態で具体化され得る。コンピュータシステムの典型的な例としては、汎用コンピュータ、プログラムされたマイクロプロセッサ、マイクロコントローラ、周辺ＩＣ（集積回路）素子、及び本技術の方法を構成する工程を実装可能な他のデバイス、若しくはデバイスの配列が挙げられる。
【００４４】
このコンピュータシステムは、コンピュータ、入力デバイス、ディスプレイユニット、及び／又はインターネットを含む。コンピュータは、マイクロプロセッサを更に含む。マイクロプロセッサは、通信バスに接続される。コンピュータはまた、メモリも含む。このメモリは、ランダムアクセスメモリ（ＲＡＭ）及び読み出し専用メモリ（ＲＯＭ）を含み得る。コンピュータシステムは、記憶デバイスを更に含む。この記憶デバイスは、ハードディスクドライブ、又はフロッピーディスクドライブ、光ディスクドライブなどのような、リムーバブルな記憶ドライブとすることができる。この記憶デバイスはまた、コンピュータシステム内に、コンピュータプログラム又は他の命令を読み込むための、他の同様の手段とすることもできる。コンピュータシステムはまた、通信ユニットも含む。この通信ユニットにより、コンピュータは、入出力インターフェースを通じて、他のデータベース及びインターネットに接続することが可能になる。この通信ユニットにより、データの転送、並びに他のデータベースからのデータの受信が可能になる。通信ユニットは、データベース、並びにＬＡＮ、ＭＡＮ、ＷＡＮ、及びインターネットなどのネットワークに、コンピュータシステムが接続することを可能にする、モデム、イーサネットカード、又は任意の同様のデバイスを含み得る。コンピュータシステムは、入出力インターフェースを通じてシステムにアクセス可能な、入力デバイスを通じて、ユーザーからの入力を容易にする。
【００４５】
コンピュータシステムは、入力データを処理するために、１つ以上の記憶素子内に記憶された、命令のセットを実行する。この記憶素子はまた、必要に応じて、データ又は他の情報も保持することができる。記憶素子は、情報源、又は処理機械内に存在する物理的なメモリ素子の形態にすることができる。
【００４６】
命令のセットは、処理機械に、本技術の方法を構成する工程などの特定のタスクを実行するように命令する、様々なコマンドを含み得る。命令のセットは、ソフトウェアプログラムの形態にすることができる。更には、このソフトウェアは、個別のプログラムの集まり、より多くのプログラムを有するプログラムモジュール、又は本技術におけるような、プログラムモジュールの一部分の形態にすることができる。このソフトウェアはまた、オブジェクト指向プログラミングの形態での、モジュラープログラミングも含み得る。処理機械による入力データの処理は、ユーザーコマンド、先行の処理の結果、又は別の処理機械によって作成される要求に応答することができる。
【００４７】
以下の説明は、当業者が本技術を作製及び使用することを可能にするために提示される一方で、特許取得のための要件に関連して記載される。本説明は、本技術を実施するための、現時点で考えられる最良の方法である。好ましい実施形態への様々な修正は、当業者には容易に明らかとなり、本技術の包括的な原理は、他の実施形態に適用することができ、本技術の一部の特徴は、対応して他の特徴の使用することなく、使用することができる。したがって、本技術は、示される実施形態に限定されることを意図するものではなく、本明細書に記載される原理及び特徴に一致する最も広い範囲が与えられるものとする。
【図１】
0006263326.tif 000014
【図２】
0006263326.tif 000015
【図３】
0006263326.tif 000016
【図４】
0006263326.tif 000017
【図５】
0006263326.tif 000018
【図６】
0006263326.tif 000019